(57)【特許請求の範囲】
【請求項１】
所定プログラムに基づいて第１の所定領域内に画像情報を表示する画像情報表示手段と、
前記第１の所定領域を囲繞した形で画成された第２の所定領域を表示する注釈情報領域表示手段と、
注釈情報の内容に対応するアイコンの表示位置を指示する注釈情報指示手段と、
前記注釈情報の内容に対応するアイコンを前記第２の所定領域のうち指示された表示位置に表示するアイコン表示手段と、
前記注釈情報が前記アイコンが表示されている表示位置に印刷されるように前記画像情報と前記注釈情報とを合成する合成手段と、
前記合成手段により合成された情報を少なくとも１つ以上の出力装置に送信する送信手段と、を備え
前記アイコンが前記第２の所定領域の外に移動された場合は前記アイコンに対応した注釈情報の印刷をしないことを特徴とする情報処理装置。
【請求項２】
前記注釈情報指示手段により指示される注釈情報の内容は、少なくとも文字列情報、日付情報、時刻情報、ファイル名情報、ページ情報のうちの１つ以上を含むことを特徴とする請求項１記載の情報処理装置。
【請求項３】
付加情報を設定する付加情報設定手段と、
前記付加情報を表示する付加情報表示手段とを備えていることを特徴とする請求項１又は２記載の情報処理装置。
【請求項４】
前記付加情報設定手段による付加情報は、当該付加情報を示すアイコンを介して設定され、
前記付加情報表示手段は指示された表示位置に前記アイコンを表示することを特徴とする請求項３記載の情報処理装置。
【請求項５】
前記付加情報設定手段により設定される付加情報は、少なくともセンターマーク情報、枠線情報、見出し情報のうち１つ以上を含むことを特徴とする請求項３又は４記載の情報処理装置。
【請求項６】
所定プログラムに基づいて第１の所定領域内に画像情報を表示し、
前記第１の所定領域を囲繞した形で画成された第２の所定領域を表示し、
注釈情報の内容に対応するアイコンの表示位置を指示し、
前記注釈情報の内容に対応する前記アイコンを前記第２の所定領域のうち指示された表示位置に表示し、
前記注釈情報が前記アイコンが表示されている表示位置に印刷されるように前記画像情報と前記注釈情報とを合成し、
前記合成により合成された情報を少なくとも１つ以上の出力装置に送信し、
前記アイコンが前記第２の所定領域の外に移動された場合は前記アイコンに対応した注釈情報の印刷をしないことを特徴とする情報処理方法。
【請求項７】
前記指示される注釈情報の内容は、少なくとも文字列情報、日付情報、時刻情報、ファイル名情報、ページ情報のうちの１つ以上を含むことを特徴とする請求項６記載の情報処理方法。
【請求項８】
付加情報を設定し、
前記付加情報を表示することを特徴とする請求項６又は７記載の情報処理方法。
【請求項９】
前記設定された付加情報は、当該付加情報を示すアイコンを介して設定され、
前記表示は指示された表示位置に前記アイコンを表示することを特徴とする請求項８記載の情報処理方法。
【請求項１０】
前記設定される付加情報は、少なくともセンターマーク情報、枠線情報、見出し情報のうち１つ以上を含むことを特徴とする請求項８又は９記載の情報処理方法。
【発明の詳細な説明】
【０００１】
【産業上の利用分野】
本発明は情報処理装置及び情報処理方法に関し、より詳しくは所定通信網上で中心的な機能を果たすホストコンピュータ等の情報処理装置及び情報処理方法に関する。
【０００２】
【従来の技術】
所定通信網上にホストコンピュータ等の情報処理装置と複数のプリンタ等の出力装置とが接続された情報処理システムにおいて、文書情報に付随するヘッダやフッタ等の注釈情報を出力装置に出力させる場合、従来、これらの注釈情報はホストコンピュータ上で稼働するアプリケーションプログラムを介して作成されている。
【０００３】
【発明が解決しようとする課題】
しかしながら、上記情報処理システムにおいては、アプリケーションプログラムで上記注釈情報を印字出力させる場合は、文書情報が出力されるべき印字領域の一部を利用して行わなければならず、このため文書情報を完成させた後に上記注釈情報を追加する場合は文書情報全体を修正して前記注釈情報の印字領域を確保することが必要となり、非常に手間を要するという問題点があった。
【０００４】
また，注釈情報の印字領域設定についても上下領域、左右領域、中央領域等の設定しか行うことができず、使用者のニーズに応じたきめ細かな印字領域設定を行うのは困難であるという問題点があった。
【０００５】
本発明は上記問題点に鑑みなされたものであって、作成された既存の画像情報に修正を加えることなく容易に注釈情報を追加することができ、且つ使用者のニーズに応じた所望位置に注釈情報を印字することができる情報処理装置及び情報処理方法を提供することを目的とする。
【０００６】
【課題を解決するための手段】
上記目的を達成するために本発明に係る請求項１記載の情報処理装置は、所定プログラムに基づいて第１の所定領域内に画像情報を表示する画像情報表示手段と、前記第１の所定領域を囲繞した形で画成された第２の所定領域を表示する注釈情報領域表示手段と、注釈情報の内容に対応するアイコンの表示位置を指示する注釈情報指示手段と、前記注釈情報の内容に対応するアイコンを前記第２の所定領域のうち指示された表示位置に表示するアイコン表示手段と、前記注釈情報が前記アイコンが表示されている表示位置に印刷されるように前記画像情報と前記注釈情報とを合成する合成手段と、前記合成手段により合成された情報を少なくとも１つ以上の出力装置に送信する送信手段と、を備え、前記アイコンが前記第２の所定領域の外に移動された場合は前記アイコンに対応した注釈情報の印刷をしないことを特徴とする。
【０００７】
本発明に係わる請求項２記載の情報処理装置は、前記注釈情報指示手段により指示される注釈情報の内容は、少なくとも文字列情報、日付情報、時刻情報、ファイル名情報、ページ情報のうちの１つ以上を含むことを特徴とする。
【０００８】
本発明に係わる請求項３記載の情報処理装置は、付加情報を設定する付加情報設定手段と、前記付加情報を表示する付加情報表示手段とを備えていることを特徴とする。
【０００９】
本発明に係る請求項５記載の情報処理装置は、前記付加情報設定手段により設定される付加情報は、少なくともセンターマーク情報、枠線情報、見出し情報のうち１つ以上を含むことを特徴とする。
【００１０】
本発明に係る請求項６記載の情報処理方法は、所定プログラムに基づいて第１の所定領域内に画像情報を表示し、前記第１の所定領域を囲繞した形で画成された第２の所定領域を表示し、注釈情報の内容に対応するアイコンの表示位置を指示し、前記注釈情報の内容に対応するアイコンを前記第２の所定領域のうち指示された表示位置に表示し、前記注釈情報が前記アイコンが表示されている表示位置に印刷されるように前記画像情報と前記注釈情報とを合成し、前記合成により合成された情報を少なくとも１つ以上の出力装置に送信し、前記アイコンが前記第２の所定領域の外に移動された場合は前記アイコンに対応した注釈情報の印刷をしないことを特徴とする。
【００１１】
【実施例】
以下、本発明の実施例を図面に基づいて詳説する。
【００１２】
図１は本発明に係る出力装置の一実施例としてのレーザビームプリンタの内部構造図であって、該レーザビームプリンタ１は、装置本体２の上面に設けられたスイッチ部やＬＥＤ表示部等を有する操作パネル３と、所定の印刷動作を行う印刷本体部４と、入力される文字データや制御データ等を解析して前記印刷本体部４の印刷動作を制御する印刷制御装置５とから構成されている。
【００１３】
印刷本体部４は、所定の記録紙（カット紙）が収納されると共に給紙ローラ６を備えた給紙カセット７と、適数個の搬送ローラ８…を介して記録紙が供給される静電ドラム９と、該静電ドラム９にレーザ光を照射する光学系１０と、所定色のトナーが収納されて前記静電ドラム９の周囲に配設された現像器１１と、該現像器１１により現像されたトナー像を定着する定着器１２と、記録紙に印刷された文書データ等を排紙ローラ１３を介して装置外部に排出する排紙部１４とからなる。
【００１４】
また、前記光学系１０は、所定波長のレーザ光を射出する半導体レーザ１５と、該半導体レーザ１５を駆動するレーザドライバ１７と、回転多面鏡１８と、該回転多面鏡１８を介して入光するレーザ光を反射させて静電ドラム９上に該レーザ光を供給する反射鏡１９とを備えている。
【００１５】
このように構成されたレーザビームプリンタ１においては、印刷制御装置５からのビデオ信号がレーザドライバ１７に入力され、前記ビデオ信号に応じて半導体レーザ１５から射出されるレーザ光のオン・オフ切替を行なう。レーザ光は回転多面鏡１８で左右方向に振られて静電ドラム９上を走査し、静電ドラム９上には文字パターン等の静電潛像が形成され、さらに、該静電潛像は現像器１１を介して現像される。そして、静電ドラム９上に付着されたトナー像は給紙カセット７から給紙された記録紙に転写され、次いで、定着器１２によりトナー像が記録紙に定着され、該記録紙は排紙ローラ１３を介して排紙部１４に排出される。
【００１６】
図２は本発明に係る情報処理システムのブロック構成図であって、本情報処理システムは、プリンタ用外部記憶装置２０が接続可能とされたレーザビームプリンタ１と情報処理装置としてのホストコンピュータ２２とがＬＡＮ（ローカル・エリア・ネットワーク）等の双方向性インターフェース動作を司る所定通信網２１を介して接続されている。尚、前記外部記憶装置２０は、フォントデータや異なる言語系のプリンタ制御言語を解釈するエミュレーションプログラム、フォームデータ等が記憶されている。
【００１７】
ホストコンピュータ２２は、具体的には、操作者により任意の所定情報が入力されるキーボード２３と、前記所定情報の表示等を行う表示部（ＣＲＴ）２４と、ブートプログラムや種々のアプリケーションプログラム、フォントデータ、ユーザファイル、編集ファイルなどが記憶されたフレキシブルディスクやハードディスク等の外部記憶装置２５と、情報制御装置２６とを備えている。
【００１８】
また、情報制御装置２６は、キーボード２３からのキー入力情報や不図示のポインティングデバイスにより指示された入力情報を制御するキーボードコントローラ（ＫＢＣ）２７と、ＣＲＴ２４を制御するＣＲＴコントローラ（ＣＲＴＣ）２８と、外部記憶装置２５とのアクセスを制御するディスクコントローラ（ＤＫＣ）２９と、レーザビームプリンタ１との通信制御処理を実行するプリンタコントローラ（ＰＲＴＣ）３０と、入力情報を記憶すると共にワークエリアとしての機能を有するＲＡＭ３１と、所定の情報が予め記憶されているＲＯＭ３２と、システムバス３３を介して上記各構成要素と接続されこれら各構成要素を制御するＣＰＵ３４とからなる。
【００１９】
しかして、上記ＲＯＭ３２は、情報処理時に使用するフォントデータ等が記憶されたフォント用ＲＯＭ３５と、所定の情報処理プログラムが格納されたプログラム用ＲＯＭ３６と、上記情報処理を行うときに使用される各種データが記憶されたデータ用ＲＯＭ３７とを備え、ＣＰＵ３４は図形、イメージ、文字、表（表計算等を含む）などが混在した情報処理をＲＡＭ３１をワークエリアとして上記情報処理プログラムの実行を行う。すなわち、ＣＰＵ３４は、ＲＡＭ３１に設けられた表示情報領域へのアウトラインフォントの展開（ラスタライズ）処理を実行し、ＣＲＴ２４上でのウィジウィグ（ＷＹＳＩＷＩＧ：What You See Is What You Get）を可能とし、ＣＲＴ２４に表示された情報をそのまま印字出力する。また、ＣＰＵ３４は、ポインティングデバイス等で指示されたコマンド情報に基づき登録された種々のウインドウを開き、種々のデータ処理を実行する。
【００２０】
一方、印刷制御装置５は、所定通信網２１に接続されてホストコンピュータ２２との間でデータの授受を行う入力部３８と、印刷本体部４との間でインターフェース動作を司る印刷本体部インターフェース３９と、プリンタ用外部記憶装置２０とのアクセスを制御するディスクコントローラ（ＤＫＣ）４０と、出力情報展開領域や環境情報格納領域及びＮＶＲＡＭ等を有するプリンタ用ＲＡＭ４１と、所定の情報が予め記憶されているプリンタ用ＲＯＭ４２と、システムバス４３を介して上記各構成要素と接続されこれら各構成要素を制御するプリンタ用ＣＰＵ４４とからなる。
【００２１】
上記プリンタ用ＲＯＭ４２は、印刷本体部４への出力情報を生成するときに使用されるフォントデータ等が記憶されたフォント用ＲＯＭ４５と、所定の文書処理プログラムが格納されたプログラム用ＲＯＭ４６と、必要に応じてホストコンピュータ２２で使用される各種情報が記憶されるデータ用ＲＯＭ４７とを備え、プリンタ用ＣＰＵ４４は印刷本体部インターフェース３９を介して接続された印刷本体部４に出力情報としての画像信号を出力する。また、ＣＰＵ３４は、入力部３８を介してホストコンピュータ２２との通信処理が可能とされ、レーザビームプリンタ１の印刷情報等はホストコンピュータ２２に通知可能とされている。尚、プリンタ用ＲＡＭ４１は、不図示の増設ポートを介して増設可能とされ、メモリ容量を拡張することができ、またプリンタ用外部記憶装置２０は複数個接続可能とされている。すなわち、内蔵フォントに加えてオプションフォントカードや複数のエミュレーションプログラムを格納した複数個のプリンタ用外部記憶装置２０が接続可能とされている。また、プリンタ用外部記憶装置２０がＮＶＲＡＭを有し、操作パネル３からのプリンタ設定情報を記憶するように構成しても良い。
【００２２】
図３は本情報処理システムの処理手順を示すフローチャートである。
【００２３】
すなわち、ステップＳ１ではアプリケーションプログラムが起動し、印刷命令がなされたか否かを判断する。そして、印刷命令がなされていないときは文書編集や表作成等の他の命令がなされたか否かを判断する（ステップＳ２）。そして、その答が否定（Ｎｏ）のときは処理を終了する一方、その答が肯定（Ｙｅｓ）のときは当該他の命令を実行した後（ステップＳ３）ステップＳ１に戻る。
【００２４】
ステップＳ１で印刷命令がなされたときは、印刷設定画面をＣＲＴ２４に表示する（ステップＳ４）。斯かる印刷設定画面では印刷部数、印刷するページ範囲等の設定が行われる。次いで、キーボード２３や不図示のポインティングデバイスを介して該印刷設定画面上でキャンセルボタンが指示されたか否かを判断する（ステップＳ５）。そして、その答が肯定（Ｙｅｓ）のときはステップＳ１に戻る一方、その答が否定（Ｎｏ）のときはＯＫボタンが指示されたか否かを判断する（ステップＳ６）。ＯＫボタンが指示されたときは印刷を実行して（ステップＳ７）ステップＳ１に戻る。
【００２５】
また、ＯＫボタンが指示されていないときはプリンタ設定が指示されたか否かを判断し（ステップＳ８）、その答が否定（Ｎｏ）のときはステップＳ５に戻る一方、その答が肯定（Ｙｅｓ）のとき、すなわちプリンタ設定が指示されたときはＣＲＴ２４にプリンタ設定画面を表示する。
【００２６】
プリンタ設定画面は、具体的には図４に示すように、プリンタ機能設定領域４８と、プリンタの各種設定情報を確定させるＯＫボタン４９と、前記各種設定情報を無効にするキャンセルボタン５０と、ヘッダ・フッタ設定画面に表示を移行するヘッダ・フッタボタン５１とを有し、さらにプリンタ機能設定領域４８においては給紙先情報、用紙サイズ、印刷方向等を設定する。
【００２７】
次に、プリンタ設定画面においてキャンセルボタン５０がキーボード２３や不図示のポインティングデバイスにより指示されたか否かを判断する（ステップＳ１０）。そして、その答が肯定（Ｙｅｓ）のときはステップＳ４に戻って印刷設定画面を再表示して上述の処理を繰り返す一方、その答が否定（Ｎｏ）のときはＯＫボタン４９がキーボード２３や不図示のポインティングデバイスにより指示されたか否かを判断する（ステップＳ１１）。そして、その答が肯定（Ｙｅｓ）のときはプリンタ設定画面のプリンタ機能設定領域４８で設定された各種設定情報を確定させて（ステップＳ１２）ステップＳ４に戻り、印刷設定画面を再表示して上述の処理を繰り返す。
【００２８】
一方、ステップＳ１１の答が否定（Ｎｏ）のときはヘッダ・フッタボタン５１が指示されたか否かを判断する（ステップＳ１３）。そして、その答が否定（Ｎｏ）のときはステップＳ１０に戻る一方、その答が肯定（Ｙｅｓ）のときはヘッダ・フッタ設定画面を表示する（ステップＳ１４）。
【００２９】
図５はＣＲＴ２４に表示されるヘッダ・フッタ設定画面の表示内容を示している。
【００３０】
ヘッダ・フッタ設定画面の左方適所にはレーザビームプリンタ１に出力される記録用紙に応じた用紙サイズ領域５２が表示され、該用紙サイズ領域５２はプリンタ設定画面で設定された印刷方向設定情報に基づいて縦方向の長さ及び横方向の長さが変更可能とされている。さらに、用紙サイズ領域５２内部にはホストコンピュータ２２上で実行されるアプリケーションプログラムに対して使用が許容される印字可能領域５３が表示される。これにより、アプリケーションプログラムにおいては前記印字可能領域５３の外方への印字は禁止される。
【００３１】
また、ヘッダ・フッタ設定画面の略中央部には注釈情報等を表示するためのアイコン領域５４が設けられている。
【００３２】
すなわち、アイコン領域５４は、第１の注釈情報の印刷指示を示すＣ１アイコン５５と、第２の注釈情報の印刷指示を示すＣ２アイコン５６と、日付の印刷指示を示すＤアイコン５７と、時刻の印刷指示を示すＴアイコン５８と、ファイル名の印刷指示を示すＦアイコン５９と、ページの印刷指示を示すＰアイコン６０とを有し、各種アイコン５５〜６０がキーボード２３や不図示のポインティングデバイスにより用紙サイズ表示領域５２の外枠との間に形成された注釈情報表示領域６８に印字出力可能とされている。そして、各種アイコン５５〜６０がキーボード２３や不図示のポインティングデバイスにより用紙サイズ表示領域５２の外方に移動させた場合は前記アイコン５５〜６０に対応した注釈情報は印刷されなくなる。
【００３３】
また、Ｃ１アイコン５５の右方には第１の注釈情報の内容を示す第１の文字列表示領域６１が設けられ、Ｃ２アイコン５６の右方には第２の注釈情報の内容を示す第２の文字列表示領域６２が設けられ、Ｄアイコン５７の右方には日付を示す日付表示領域６３が設けられている。さらに、Ｐアイコン６０の右方適所にはページの開始値を表示する開始ページ表示領域６４と、ページの増分値を表示する増分ページ表示領域６５とを有している。また、ヘッダ・フッタ設定画面の下部には該ヘッダ・フッタ設定画面で設定された設定情報を無効とするキャンセルボタン６６と、前記設定情報の設定を確定するＯＫボタン６７とを有している。
【００３４】
図６はアイコン領域５４により設定されたアイコン５５〜６０が注釈情報表示領域６８の所定位置に表示されている状態を示している。
【００３５】
次に、図３に戻りヘッダ・フッタ設定画面においてキャンセルボタン６６がキーボード２３や不図示のポインティングデバイスにより指示されたか否かを判断する（ステップＳ１５）。そして、その答が肯定（Ｙｅｓ）のときはステップＳ９に戻ってプリンタ設定画面を再表示し上述の処理を繰り返す一方、その答が否定（Ｎｏ）のときはＯＫボタン６７がキーボード２３や不図示のポインティングデバイスにより指示されたか否かを判断する（ステップＳ１６）。そして、その答が否定（Ｎｏ）のときはステップＳ１５に戻る一方、その肯定（Ｙｅｓ）のときはヘッダ・フッタ設定画面の各種注釈情報を確定させて（ステップＳ１７）ステップＳ９に戻り、プリンタ設定画面を再表示して上述の処理を繰り返し、最終的に印刷を実行した後（ステップＳ７）処理を終了する。
【００３６】
図７は上述の処理手順を経て印字出力された記録紙を示している。７０は記録紙上の印字領域であり、６９は記録紙上の注釈領域である。
【００３７】
しかして、上記図６に表示された注釈情報表示領域６８に対応する注釈情報印字領域７１が形成され、該注釈情報印字領域７１に前記ヘッダ・フッタ設定画面で表示された各種注釈情報が印字される。すなわち、Ｃ１アイコン５５に対応する印字位置には第１の文字列表示領域６１に表示された第１の文字列７２が印字され（本実施例では「データの説明」で示されている）、Ｄアイコン５７に対応する印字位置には日付表示領域６３に表示された日付７３が印字され、Ｔアイコン５８に対応する印字位置には実際の印刷時刻７４が印字される。また、Ｐアイコン６０に対応する印字位置には所定ページ番号７５が印字され、Ｆアイコン５９に対応する印字位置にはファイル名７６が印字される。
【００３８】
このように本情報処理システムによれば、印字領域７０内において一旦完成された文書に修正を加えることなく注釈情報を付加することができ、しかもこれらの注釈情報はアイコンを介して使用者の希望する位置に容易に表示することができる。
【００３９】
図８は他の実施例の要部フローチャートであって、本他の実施例では上記実施例に加えてセンターマークや見出しタグ及び枠線等の付加情報の設定が可能とされている。
【００４０】
すなわち、上記実施例と同様の処理を実行し、ステップＳ９ではプリンタ設定画面が表示されるが、本他の実施例ではプリンタ設定画面は、図９に示すように、上記第１の実施例（図４）に加えて付加情報ボタン７７が設けられている。そして、上記実施例と同様、ステップＳ１０及びステップＳ１１を実行し、ステップＳ１３でヘッダ・フッタボタン５１が指示されたか否かを判断する。そして、ヘッダ・フッタボタン５１が指示されたときは、上記実施例と同様、ステップＳ１４以降の処理を実行する一方、ヘッダ・フッタボタン５１が指示されていないときはステップＳ２１に進み、付加情報ボタン７７が指示されているか否かを判断する。そして、付加情報ボタン７７が指示されていないときはステップＳ１０に戻る一方、付加情報ボタン７７が指示されているときは付加情報設定画面をＣＲＴ２４上に表示する（ステップＳ２２）。
【００４１】
図１０はＣＲＴ２４に表示される付加情報設定画面の表示内容を示している。
【００４２】
すなわち、付加情報設定画面は、ヘッダ・フッタ設定画面と同様、その左方適所にはレーザビームプリンタ１に出力される記録用紙に応じた用紙サイズ表示領域７８が設けられ、また該用紙サイズ表示領域７８にはホストコンピュータ２２上で実行されるアプリケーションプログラムに対して使用が許容される印字可能領域表示部７９が表示される。
【００４３】
また、付加情報設定画面の略中央部には付加情報用アイコン領域８０が設けられている。
【００４４】
すなわち、付加情報用アイコン領域８０は、記録用紙の中心を表すセンターマーク印刷指示を行うＣＴアイコン８１と、辞書等の見出しである見出しタグの印刷指示を行うＴＧアイコン８２と、枠線の印刷指示を行うＦＬアイコン８３とを有し、これら各付加情報用アイコン８０〜８２の設定情報は、ヘッダ・フッタ設定情報と同様、印字可能領域表示部７８の外枠と用紙サイズ表示領域７９の外枠との間に印字出力可能とされている。
【００４５】
また、ＴＧアイコン８２の右方には見出しタグとして印刷すべきタグ用文字列表示領域８４が設けられ、ＦＬアイコン８３の右方には印刷される線の種類（細線、実線、破線等）を選択指示する線種指示部８５が設けられている。さらに、付加情報設定画面の下部には該付加情報設定画面で設定された設定情報を無効とするキャンセルボタン８６と、前記設定情報の設定を確定するＯＫボタン８７とを有している。
【００４６】
次いで、付加情報設定画面においてキャンセルボタン８６がキーボード２３や不図示のポインティングデバイスにより指示されたか否かを判断する（ステップＳ２３）。そして、その答が肯定（Ｙｅｓ）のときはステップＳ９に戻ってプリンタ設定画面を再表示し上述の処理を繰り返す一方、その答が否定（Ｎｏ）のときはＯＫボタン８７がキーボード２３や不図示のポインティングデバイスにより指示されたか否かを判断する（ステップＳ２４）。そして、その答が否定（Ｎｏ）のときはステップＳ２３に戻る一方、その肯定（Ｙｅｓ）のときは付加情報設定画面の各種付加情報アイコンを確定させて（ステップＳ２５）ステップＳ９に戻り、プリンタ設定画面を再表示して上述の処理を繰り返し、上記図３の実施例と同様、最終的に印刷を実行した後処理を終了する。
【００４７】
図１１は上述の処理手順を経て印字出力された記録紙を示している。
【００４８】
すなわち、記録用紙８８においては、図１０に示す印字可能領域表示部７９の外枠に対応する位置に線種指示部８５で指示された枠線８９が印刷され、ＣＴアイコン８１により指示されたセンターマーク９０が印刷され、記録用紙８８の右側所定位置にタグ９１（この実施例では「Ａ」がタグを示す）が印刷されている。
【００４９】
このように本情報処理システムによれば、付加情報も所望位置に容易に表示することができる。
【００５０】
尚、本他の実施例ではヘッダ・フッタ設定画面と付加情報設定画面とに分けて処理しているが、付加情報の設定をヘッダ・フッタ設定画面で行うようにしてもよい。
【００５１】
また、本発明は上記実施例に限定されるものではなく、例えば上記実施例ではホストコンピュータで注釈情報等の付加処理を行っているが、レーザビームプリンタ側で行ってもよく、レーザビームプリンタ単体に対しても適用できる。
【００５２】
また、出力装置についてもレーザビームプリンタに限定されることはなく、インクジェットプリンタやその他の形式のプリンタにも同様にして適用できるのはいうまでもない。
【００５３】
【発明の効果】
以上詳述したように本発明によれは、注釈情報の内容に対応するアイコンを注釈情報表示領域の中の指示された表示位置に表示させ、印刷時にはアイコンの位置に注釈情報を印刷するので、作成された既存の画像情報に修正を加えることなく容易に注釈情報を追加することができ、且つ使用者のニーズに応じた所望位置に注釈情報を印刷することができる。
【図面の簡単な説明】
【図１】本発明に係る出力装置の一実施例としてのレーザビームプリンタの内部構造図である。
【図２】本発明の情報処理システムの一実施例を示すブロック構成図である。
【図３】本発明の情報処理手順を示すフローチャートである。
【図４】本発明のプリンタ設定画面図である。
【図５】ヘッダ・フッタ設定画面図である。
【図６】注釈情報をアイコン表示したときのプリンタ設定画面上の用紙サイズ表示領域の図である。
【図７】注釈情報を付して印刷された記録用紙を示す図である。
【図８】情報処理手順の他の実施例を示す要部フローチャートである。
【図９】プリンタ設定画面の他の実施例を示す図である。
【図１０】付加情報設定画面図である。
【図１１】付加情報を付して印刷された記録用紙を示す図である。
【符号の説明】
１    レーザビームプリンタ（出力装置、端末装置）
２２  ホストコンピュータ（情報処理装置）
３４  ＣＰＵ
４４  プリンタ用ＣＰＵ
【図１】
0003720418.tif 000002
【図２】
0003720418.tif 000003
【図３】
0003720418.tif 000004
【図４】
0003720418.tif 000005
【図５】
0003720418.tif 000006
【図６】
0003720418.tif 000007
【図７】
0003720418.tif 000008
【図８】
0003720418.tif 000009
【図９】
0003720418.tif 000010
【図１０】
0003720418.tif 000011
【図１１】
0003720418.tif 000012